【手続補正書】
【提出日】平成29年2月15日(2017.2.15)
【手続補正１】
【補正対象書類名】明細書
【補正対象項目名】００２７
【補正方法】変更
【補正の内容】
【００２７】
画像処理部４０は、制御部３０の制御に従って、画像Ｉ／Ｆ部１２を介して入力される画像データを処理し、光変調装置駆動部４６に画像信号を出力する。画像処理部４０が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部４０は、制御部３０により指定された処理を実行し、必要に応じて、制御部３０から入力されるパラメーターを使用して処理を行う。また、上記のうち複数の処理を組み合わせて実行することも勿論可能である。
画像処理部４０はフレームメモリー４４に接続されている。画像処理部４０は、画像Ｉ／Ｆ部１２から入力される画像データをフレームメモリー４４に展開して、展開した画像データに対し上記の各種処理を実行する。画像処理部４０は、処理後の画像データをフレームメモリー４４から読み出して、この画像データに対応するＲ、Ｇ、Ｂの画像信号を生成し、光変調装置駆動部４６に出力する。
光変調装置駆動部４６は、光変調装置２２の液晶パネルに接続される。光変調装置駆動部４６は、画像処理部４０から入力される画像信号に基づいて液晶パネルを駆動し、各液晶パネルに画像を描画する。
【手続補正２】
【補正対象書類名】明細書
【補正対象項目名】００２８
【補正方法】変更
【補正の内容】
【００２８】
操作検出部１７は、入力デバイスとして機能するリモコン受光部１８及び操作パネル１９に接続され、リモコン受光部１８及び操作パネル１９を介した操作を検出する。
リモコン受光部１８は、プロジェクター１０のユーザーが使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
操作パネル１９は、プロジェクター１０の外装筐体に設けられ、各種スイッチ及びインジケーターランプを有する。操作検出部１７は、制御部３０の制御に従い、プロジェクター１０の動作状態や設定状態に応じて操作パネル１９のインジケーターランプを適宜点灯及び消灯させる。この操作パネル１９のスイッチが操作されると、操作されたスイッチに対応する操作データが操作検出部１７から制御部３０に出力される。
【手続補正３】
【補正対象書類名】明細書
【補正対象項目名】００６２
【補正方法】変更
【補正の内容】
【００６２】
制御部３０の検出制御部３２は、座標算出部５５から所定回連続して座標値を入力した場合には、２秒以上の接触を検出したと判定して（ステップＳ５；ＹＥＳ）、該当マークの表示を「検出済み」に変更する（ステップＳ６）。また、検出制御部３２は、位置検出部５０からエラー通知を入力した場合等、所定回連続して座標値を入力することができなかった場合には、撮影制御部５３に撮影を開始させる指示を出力する。
次に、検出制御部３２は、座標値を入力したマーク位置における基準変動量を算出する（ステップＳ７）。例えば、検出制御部３２は、座標算出部５５から所定回連続して入力する座標値のＸ座標、Ｙ座標それぞれの最大値、最小値を求め、求めた最大値と最小値との差を、該当のマーク位置における基準変動量として算出する。なお、座標値の基準変動量が±５ピクセルの場合には、座標値に変動が生じていないと判定するようにしてもよい。検出制御部３２は、当該マーク位置における基準変動量を算出すると、算出したマーク位置の基準変動量と、基準変動量を算出した指示体７０又は８０の種類情報とを対応付けて記憶部１１０に記憶させる（ステップＳ８）。なお、検出制御部３２は、算出したマーク位置における基準変動量を、このマークを含む領域の基準変動量として記憶部１１０に記憶させる。例えば、図７（Ａ）に示すマーク位置Ａの基準変動量である場合、検出制御部３２は、図７（Ｂ）に示す第１領域の基準変動量として記憶部１１０に記憶させる。
次に、検出制御部３２は、全てのマーク位置で基準変動量を算出したか否かを判定する（ステップＳ９）。全てのマーク位置での基準変動量を算出していないと判定すると（ステップＳ９；ＮＯ）、検出制御部３２は、ステップＳ４に戻り、撮影制御部５３に撮影を開始させる指示を出力する。また、全てのマーク位置での基準変動量を算出済みであると判定すると（ステップＳ９；ＹＥＳ）、検出制御部３２は、補間処理により、マークを含む領域以外の領域の基準変動量を算出する（ステップＳ１０）。検出制御部３２は、算出した基準変動量を記憶部１１０に記憶させる。
【手続補正４】
【補正対象書類名】明細書
【補正対象項目名】００６３
【補正方法】変更
【補正の内容】
【００６３】
次に、図９に示すフローチャートを参照しながら指示体７０、８０により指示された座標値を補正する処理の詳細について説明する。
例えば、画像Ｉ／Ｆ部１２を介して入力した画像データに基づく画像がスクリーンＳＣに投射されると、撮影制御部５３は、制御部３０の制御により撮像部５１に検出領域を撮影させる。位置検出部５０は、撮像部５１で撮影された撮影画像データから、指示体７０が発した赤外光の像、又は指示体８０に反射した反射光の像を検出して指示体７０又は８０による指示位置の座標値を算出する。また、位置検出部５０は、指示体７０と光出射装置６０との発光タイミングに基づいて、検出した像が、指示体７０が発した赤外光の像であるのか、指示体８０に反射した反射光の像であるのかを判定する。位置検出部５０は、検出した座標値と、使用された指示体７０又は８０の種類を示す種類情報とを制御部３０に出力する。
まず、投射制御部３１は、位置検出部５０から座標値（以下、入力座標値という）と、操作に使用された指示体７０又は８０の種類情報とを入力したか否かを判定する（ステップＳ１１）。投射制御部３１は、種類情報と入力座標値とを入力すると（ステップＳ１１；ＹＥＳ）、種類情報に基づいて、操作指示が指示体７０によるものであるのか、指示体８０によるものであるのかを判定する（ステップＳ１２）。投射制御部３１は、指示体７０による操作であると判定する場合には、入力座標値を含む領域に設定された第１基準変動量を記憶部１１０から取得する（ステップＳ１３）。また、制御部３０の投射制御部３１は、指示体８０による操作であると判定する場合には、入力した座標値を含む領域に設定された第２基準変動量を記憶部１１０から取得する（ステップＳ１３）。投射制御部３１は、第１基準変動量又は第２基準変動量を取得すると、取得した基準変動量により位置検出部５０から入力した座標値を補正する（ステップＳ１４）。投射制御部３１は、補正後の座標値を画像処理部４０に渡す（ステップＳ１５）。例えば、投射制御部３１は、前回の入力座標と、今回の入力座標との座標値の差を算出する。そして、投射制御部３１は、算出した座標値の差が、記憶部１１０から取得した第１基準変動量又は第２基準変動量の範囲内にあるか否かを判定する。算出した座標値の差が、取得した第１基準変動量又は第２基準変動量の範囲内にある場合、投射制御部３１は、座標値の変化（変動）はないものと判定し、前回の入力座標値をそのまま画像処理部４０に渡す。言い換えれば、投射制御部３１は、今回の入力座標値に対して、前回の入力座標値からの変化を補償する補正（変化を０にする補正）を行って画像処理部４０に渡す。また、算出した座標値の差が、取得した第１基準変動量又は第２基準変動量の範囲内にない場合、投射制御部３１は、座標値が変化したと判定し、今回の入力座標値を画像処理部４０に渡す。画像処理部４０は、投射制御部３１から取得した座標値に基づいて図形を描画させ、描画した図形を画像Ｉ／Ｆ部１２に入力される入力画像に重畳して投射させる。